【事件の表示】
　特願２００７−３０４５１５「携帯通信端末」拒絶査定不服審判事件〔平成２０年　６月１２日出願公開、特開２００８−１３５０３２〕について、次のとおり審決する。
【結　論】
　本件審判の請求は、成り立たない。
【理　由】
１．手続の経緯・本願発明
　本願は、平成１５年１１月２０日に出願した特願２００３−３９０６９３号の一部を平成１９年１１月２６日に新たな特許出願としたものであって、平成２２年１０月８日付けで拒絶査定がなされ、これに対して平成２３年１月１９日に拒絶査定に対する審判が請求され、同時に手続補正がなされたものである。
　そしてその請求項１に係る発明は平成２３年１月１９日付け手続補正書により補正された明細書及び図面の記載からみて、特許請求の範囲の請求項１に記載された事項により特定される次のとおりのもの（以下「本願発明」という。）である。
「携帯通信端末であって、
　画像を表示領域に表示するための表示手段と、
　前記携帯通信端末に対する入力を受け付ける入力手段と、
　複数のファイルの各々を識別する各識別情報と、各前記ファイルの各々に固有な画像データが対応付けられた少なくとも１つ以上の第１のファイルと、各前記ファイルの各々の属性に対応付けられた属性別画像データが対応付けられた少なくとも１つ以上の第２のファイルとを記憶するための記憶手段と、
　各前記ファイルに対応する画像の一覧を表示する指示の入力に基づいて、各前記ファイルの各々に基づく画像を、前記表示領域の分割により形成される複数のサブ領域に表示する制御手段とを備え、
　各前記サブ領域は、画像を表示するための画像表示領域と、ファイルの識別情報を表示するための識別情報表示領域とを含み、
　前記制御手段は、
　各前記ファイルの各々について、前記識別情報に基づいて、当該ファイルが前記固有な画像データに対応付けられているか否かを判断するための判断手段と、
　当該ファイルが前記固有な画像データに対応付けられているとの判断に基づいて、前記固有な画像データに基づく画像を表示するための第１の表示データを生成するための第１の生成手段と、
　当該ファイルが前記固有な画像データに対応付けられていないとの判断に基づいて、前記属性別画像データと前記識別情報とを用いて、第２の表示データを生成するための第２の生成手段とを含み、
　前記表示手段は、
　前記第１の表示データに基づいて、当該識別情報を表示することなく、前記固有な画像データに基づく画像を、１つのサブ領域の全体に表示し、
　前記第２の表示データに基づいて、前記識別情報を前記識別情報表示領域に表示し、かつ、前記第２のファイルの属性に対応付けられた画像を、前記画像表示領域に表示する、
携帯通信端末。」
　
２．引用刊行物
　これに対して原査定の拒絶の理由に引用された、本願の出願日前に頒布された刊行物「特開平１１−１６１４０５号公報」（以下、「引用刊行物１」という。）には図面とともに以下の記載がある。（なお、○付き数字については、１○、２○　のように表記した。）
「【特許請求の範囲】
【請求項１】  各種アプリケーションプログラムによって作成されたファイルにより表示される表示イメージをウィンドウとして表示画面上に表示するウィンドウ表示制御装置であって、
所望ファイルを指定するファイル指定手段と、
上記指定ファイルにより表示されるウィンドウ内の表示イメージを縮小した縮小化イメージを作成する縮小化イメージ作成手段と、
上記縮小化イメージ作成手段で作成された縮小化イメージを、上記指定ファイルに対応する簡易イメージとして表示する縮小化イメージ表示制御手段と、
を具備したことを特徴とするウィンドウ表示制御装置。
【請求項２】  上記縮小化イメージ表示制御手段は、上記縮小化イメージを上記指定ファイルの名称と対応づけて表示するようにした、ことを特徴と請求項１記載のするウィンドウ表示制御装置。」（第２頁）
　
「【０００１】
【発明の属する技術分野】この発明は、ウィンドウを表示画面上に表示するウィンドウ表示制御装置に関する。
【０００２】
【従来の技術】現在のウィンドウ表示制御装置においては、各種アプリケーションプログラムによって作成されたファイルの中身を夫々ファイル対応のウィンドウとして表示させることができるようになっている。通常のこれらのファイルは、予め用意されたアプリケーション対応の固定アイコンとファイル属性情報（ファイル名称が代表的であるが、その他として日付情報やファイルの種類情報等がある）とが対になって表示され、個々のファイルを対応するファイル属性情報により識別表示できるものである。
【０００３】
【発明が解決しようとする課題】しかしながら、従来の上記ウィンドウ表示制御装置にあっては、個々のファイルを識別する要素は、ファイルに関するファイル属性情報に限定されており、ファイル名称が類似していたような場合には、そのファイルを実際に開いてみないとわからず、目的とするファイルを探すために、複数のファイルをオペレータ自らが一つ一つ開いてウィンドウとして表示させていかざるを得ない、といったような不都合があった。
【０００４】本発明の課題は、ウィンドウとして表示可能なファイルについて、そのファイルにより表示されるウィンドウの内容を、そのファイルを実際に開かなくても簡易的に確認できるようにすることである。」（第２頁）
　
「【０００６】
【発明の実施の形態】以下、図面を参照しながら本発明の実施例を説明する。
【０００７】図１は、本発明の一実施例であるマルチウィンドウ表示機能を備えた情報処理装置のシステム全体の構成を示すブロック図である。
【０００８】ＣＰＵ１１は、主記憶であるＲＡＭ１３上にロードされたプログラムを実行して、後述するシステム内のその他のブロックを制御し、システム全体を制御する。
【０００９】入力部１２は、キーボード１２ａとマウス１２ｂから成り、ウィンドウ表示やウィンドウのアイコン化、アイコンのウィンドウ化、ファイルの一覧表示等のための指示入力操作などのために使用される。該キーボード１２ａと該マウス１２ｂの操作情報は、不図示のインタフェースを介してＣＰＵ１１へ入力される。キーボード１２ａは、主に後述する文書処理プログラム１４ａや表処理部プログラム１４ｂなどのアプリケーションプログラム実行時のデータ入力に用いられる。また、マウス１２ｂは、不図示のマウスボタンを備えており、該マウスボタンはウィンドウのアイコン化またはその逆のアイコンからウィンドウへの復元（アイコンのウィンドウ化）を指示するために用いられる。上記の指示は、マウスボタンのクリック操作（ポインタを動かさずにマウスボタンを押して離す操作）によって行われる。また、マウス１２ｂが机上等で動かされると、そのマウス１２ｂの移動量と移動方向の情報が上記インタフェースを介してＣＰＵ１１へ出力される。」（第２頁）
　
「【００１７】表示部１６は、ＣＲＴディスプレイや、液晶表示装置（ＬＣＤ）等から成るビットマップ・ディスプレイであり、上記表示メモリ１５に格納されているウィンドウやアイコン等のイメージデータを表示する。
【００１８】固定アイコンメモリ１７は、上記各種アプリケーションプログラム１４ａ〜１４ｄのアイコンのイメージデータや、その他のシステム側で用意された各種機能（メニュー等）を示すアイコンのイメージデータを記憶しているメモリである。
【００１９】ファイルデータメモリ１８は、上記表示部１６のスクリーン上に開かれたウィンドウで実行される上記各種プログラム１４ａ〜１４ｄによって作成されるファイルのイメージデータを格納するメモリである。本実施例においては、後述詳しく説明するように、上記ファイルのイメージデータをアイコンとして登録できるようになっており、任意のファイルを読み出す際、既存のファイルが上記アイコンにより一覧表示されるようになっている。
【００２０】イメージアイコンメモリ１９は、上記ファイルデータメモリ１８に内部イメージデータが記憶されているファイルのアイコンのイメージデータを記憶するメモリである。
【００２１】ファイル管理データメモリ２０は、上記各種プログラム１４ａ〜１４ｄによって作成された全てのファイルについてのファイル管理データ２１を記憶するメモリである。この管理データの詳しい内容は後述する。
【００２２】上記固定アイコンメモリ１７、上記ファイルデータメモリ１８、イメージアイコンメモリ１９、及びファイル管理データメモリ２０は、例えばＲＡＭ（ランダム・アクセス・メモリ）やフロッピィディスクまたはハードディスク等から成る。」（第３頁）
　
「【００２６】図２は、ファイル管理データメモリ２０の内部構成を示す図である。本実施例においては、ファイルをその全体的なレイアウトイメージや一部の特徴的な部分のイメージデータによりアイコンに変換して、イメージアイコンメモリ１９内に登録できるようになっている。ファイル管理データ２１は、このアイコンのイメージデータを管理するためのデータでもある。以下に、図２に示すファイル管理データ２１が有する９つの各フィールドの機能を説明する。
【００２７】ファイル名・・・・・・・前記アプリケーション１４ａ〜１４ｄによって作成されたファイルの名称。この名称は、ユーザによって設定される。
【００２８】属  性・・・・・・・・・上記ファイル名を有するファイルに格納されているイメージデータの種類を示す。すなわち、上記アプリケーションプログラム１４ａ〜１４ｄによってそれぞれ作成される「文書」、「表」、「グラフ」、「図形」などのイメージデータの性質を示す情報である。」（第３頁）
　
「【００４９】本実施例において、このファイル検索は、属性指定と属性を問わない指定が可能である。尚、ここでの属性は、「文書」、「表」、「グラフ」、または「図形」などのファイルに格納されているデータの性質を示す。
【００５０】図５乃至図８に、上記のようなファイル検索画面の一例を示す。
【００５１】図５乃至図７は、属性指定を行った場合に表示部１６のスクリーンに表示されるファイル検索画面であり、それぞれ文書ファイル（図５）、表ファイル（図６）、グラフファイル（図７）である。一方、図８は、属性を指定しない場合に表示部１６のスクリーンに表示されるファイル検索画面であり、上記図５，図６、及び図７の画面が一画面に統合されて表示される。すなわち、全ての属性のファイルが一覧表示される。
【００５２】このファイル検索画面の特徴的な所は、各ファイルがそのファイル名７１のみならず、そのファイルの内容の全体もしくは一部のイメージデータの内容を示すアイコン７２と共に表示されることである。例えば、図５に示すように、属性として「文書」を指定したファイル検索画面においては、ファイル名が、それぞれ「文書１」、「文書２」、及び「文書３」となっている各文書ファイルについて、それらのファイル名７１がファイルのあるページ全体の縮小イメージまたはあるページの一部のイメージデータが絵柄となったアイコン７２と併記されて表示されている。
【００５３】本実施例においては、これらのファイル検索画面において、アイコン７２の左側に表示されるファイル名またはアイコン７２自身をマウス１２ｂを操作して指定することにより、該ファイルを編集可能な状態で、ウィンドウを開き、そのウィンドウ内で直ちに上記編集用のアプリケーションプログラム（１４ａ〜１４ｄの中のいずれか１つ）プログラムを起動できるようになっている。
【００５４】例えば、図５に示す表示部１６に表示されている「属性」として文書を指定したファイル検索画面において、ファイル名として「文書３」をマウスポインタ５１により指し、この状態でマウス１２ｂをクリックすると、表示部１６のスクリーンの所定位置に所定サイズでウィンドウが開き、該ウィンドウ内にその右隣のアイコン７２に内容の一部が表示されている「文書３」のファイルが表示され、該ウィンドウ内で、文書処理プログラム１４ａが起動される。そして、そのウィンドウ内で、「文書３」のファイルを直ちに編集できるようになる。
【００５５】上記図５乃至図８に示すファイル検索画面の表示は、以下のようにして行う。
  １○　まず、表示部１６のスクリーンの固定位置（例えば、メニューバー）に表示される複数のメニューの中から、〔ファイル〕をマウス１２ｂの操作により選択する。
  ２○　これにより、表示部１６のスクリーン上には複数の固定アイコンがメニュー表示される。これらのアイコンは、例えばアプリケーションプログラムを示す「アプリケーション」アイコン、「文書」、「表」、「グラフ」、「図形」等の各種のデータファイルを示す「ファイル」アイコン、ファイルのディレクトリを示す「ディレクトリ」アイコン等であり、その絵柄は固定的になっている。これらの固定アイコンのビットマップイメージデータは、図１に示す固定アイコンメモリ１７に格納されている。
３○  次に、これらの固定アイコンの中から上記「ファイル」アイコンをマウス１２ｂの操作により選択すると、ダイアログ・ボックスが表示され、該ボックス内に「新規作成」と「ファイル読出」の２つのボタンが表示される。これに対し、「新規作成」の方のボタンをマウス１２ｂの操作により選択すると、新たなファイルの作成が可能になる。一方、「ファイル読出」の方のボタンを操作すると、既に作成されているファイルの一覧を表示部１６のスクリーン上で参照することができる。このファイルの一覧表示は、図５乃至図８に示す形式のものであり、これらの表示形式の選択は、上記「ファイル読出」ボタンを選択した後に、表示部１６のスクリーン上に表示される複数の属性アイコンの中から所望するファイルの属性を示すアイコンをマウス１２ｂの操作により選択することにより行う。すなわち、例えば「文書」の絵柄を示す属性アイコンを選択すれば、図５に示すような文書データが格納された全ての既成文書ファイルがその内容を示すアイコンとファイル名とにより一覧表示される。
【００５６】このように１○〜３○の操作により、図５乃至図８に示す形式で「属性」別または「属性」を問わない形式で、ファイルの一覧を画面上で参照できる。
【００５７】次に、上記構成の実施例の動作を説明する。
」（第５頁）
　
「【００７７】後述、詳しく説明するように、本実施例においては、システム内で作成された全てのファイルについてその内容の縮小イメージまたはある一部のイメージを用いたアイコンが作成され、これがイメージアイコンメモリ１９に登録される。ＣＰＵ１１は、まず、ファイル管理データメモリ２０から全てのファイル管理データ２１を順に読み出し、該データ２１内の属性情報が指定属性と一致するものについてファイル名とアイコンポインタを抽出、これをＲＡＭ１３内の作業領域に順次書き込む。そして、全てのファイル管理データ２１について読み出しが終了すると、上記作業領域に書き込まれたアイコンポインタの指すアイコンのビットマップイメージデータをイメージアイコンメモリ１９から読み出し、これらを上記抽出したファイル名と共に表示メモリ１５の当該位置に書き込むことにより、指定された属性のファイルをそのファイル名と該当するアイコンとにより表示部１６のスクリーンに一覧表示させる（図５乃至図７参照）。
【００７８】以上の動作により、ユーザが表示部１６のスクリーン上で属性アイコンを選択して検索すべきファイルの属性を指定すると、その指定された属性を有する全てのファイルがファイル名とアイコンにより表示される。このとき、アイコンのイメージはファイルのあるページ全体の縮小イメージまたはあるページの一部のイメージとなる。したがって、ユーザは、表示されるアイコンの絵柄から容易に目的とするファイル（ファイル名）を探し出すことができる。特に、複数の同一属性ファイルに対し似たような名称を付けた場合であっても、所望ファイルの名称を誤ることなく確実かつ迅速に見つけ出すことができる。
【００７９】一方、ＣＰＵ１１は、上記ステップＳ１６で「全属生」アイコンが選択された、すなわちユーザが属性指定を行わなかったと判別すると（Ｓ１６，ＮＯ）、ファイル管理データメモリ２０から全てのファイル管理データ２１を読み出し、さらにそれらのファイル管理データ２１にセットされているアイコンポインタの指すアイコンのビットマップイメージデータをファイル名と共にイメージアイコンメモリ１９から読み出す。そして、それらのビットマップイメージデータを上記読み出したファイル管理データ２１内にセットされているファイル名と共に表示メモリ１５内の当該領域に書き込んで、表示部１６に既成の全てのファイルをアイコンとファイル名により一覧表示させる（Ｓ１８）。
【００８０】この動作により、例えば、図８に示すように「文書」、「表」、及び「グラフ」の各様式の全てのファイルが、表示部１６のスクリーン上に各属性別に縦方向に分割されながら一覧表示される。すなわち、このファイル一覧表示においても、各ファイルがファイル名のみならず、ファイルのデータ内容を示すアイコンと共に表示される。尚、一画面内に全てのファイルを表示しきれない場合には、キーボード１２ａまたはマウス１２ｂの操作により画面スクロール等を指示することにより、残りのファイルについてもスクリーン上に表示させることができる。」（第７頁）
　
「【図面の簡単な説明】
　　・・・（省略）・・・
【図８】ファイルの属性を指定しなかった場合のファイル検索画面の一例を示す図である。
　　　・・・（省略）・・・」（第１１頁）
　
　図８（第１４頁）には、表示部に、イメージデータの内容を示すアイコン７２を３行３列に表示し、各アイコンの左側にファイル名７１を表示することが記載されている。
　
　これら引用刊行物１の記載から、引用刊行物１には以下の発明（以下、「引用発明」という。）が記載されているものと認められる。
「情報処理装置であって、情報処理装置は、ＣＲＴ、ＬＣＤ等の表示部と、指示入力操作などのために使用されるキーボード、マウス等の入力部と、ファイルデータメモリ、イメージアイコンメモリと、ＣＰＵとを有し、
　ユーザが属性を指定せずにファイル読出ボタンを操作すると、ＣＰＵは、アイコンのビットマップイメージデータをファイル名と共にイメージアイコンメモリから読み出し、３行３列にイメージデータの内容を示すアイコンを表示し、各アイコンの左側にファイル名を表示して、ファイルが一覧表示される、情報処理装置。」
　
　同じく、原査定の拒絶の理由に引用された、本願の出願日前に頒布された刊行物「中島省吾，超入門！Ｗｉｎｄｏｗｓ  ２０００  Ｐｒｏｆｅｓｓｉｏｎａｌ第４回，日経Ｗｉｎｄｏｗｓ  ２０００  第３７号，日本，日経ＢＰ社，２０００年４月１日，第２３７〜２３８頁」（以下、「引用刊行物２」という。）には図面とともに以下の記載がある。
「奥義−−−４
エクスプローラの機能、尽きる事なし。
骨の髄までしゃぶり尽くすべし。
　Ｗｉｎｄｏｗｓ ２０００に付属するエクスプローラの新機能の１つに「縮小版」表示がある。画像ファイルやＨＴＭＬファイル（Ｗｅｂページなどを保存したファイル）などを直接エクスプローラ上に縮小表示できる。
　設定は簡単だ。先に説明したアイコン表示の変更方法と同様に，メニューバーで［表示］−［縮小版］を選択するだけでよい。ファイルのイメージ画像がエクスプローラ上に一覧表示できる。
　文書ファイルや実行ファイルなどイメージ・データ以外については，イメージの代わりにアイコンが表示される仕組みになっている。
　さらに驚くのは，エクスプローラ上に表示した画像を任意の倍率で拡大する「イメージのプレビュー」機能が付属している点だ。試しに，先ほど一覧表示した画像の中から， Ｗｉｎｄｏｗｓ ２０００発売の講演を行っているＢｉｌｌ Ｇａｔｅｓ氏を拡大表示してみた。」（第２３７頁右欄第１行〜第２３８頁左欄第７行）
　
　第２３７頁右欄中段には、エクスプローラの画面が表示され、９個の画像が３行３列の枠内に配置され、各枠の下部には、左上の画像から右へ順に、P1010004 、P1010005 、・・・P1010012 と記載されている。
　
　同じく、原査定の拒絶の理由に引用された、本願の出願日前に電気通信回線を通じて公衆に利用可能となった技術（ケータイ新製品ＳＨＯＷ ＣＡＳＥ　ＮＴＴドコモＳＨ２５１ｉＳ、ケータイＷａｔｃｈ編集部、２００２／１２／０９　１２：０７　Ｉｍｐｒｅｓｓ　Ｃｏｒｐｏｒａｔｉｏｎ、平成２４年４月１１日検索、インターネット＜URL：http://k-tai.impress.co.jp/cda/article/showcase_top/11978.html、以下、「電子的技術情報１」という。）には、以下の記載がある。
　携帯電話の表示画面が５行３列に表示されており、当該表示の３行目右端に表示された携帯電話の表示画面（以下、「表示画面Ａ」という。）に関し、「撮影画像はサムネイル表示させられる」と説明文が記載され、表示画面には、９個の画像が３行３列に表示されている。
　
　同じく、原査定の拒絶の理由に引用された、本願の出願日前に電気通信回線を通じて公衆に利用可能となった技術（ケータイ新製品ＳＨＯＷ ＣＡＳＥ　ＮＴＴドコモＳＨ５０５ｉ、ケータイＷａｔｃｈ編集部、２００３／０６／２４　１３：５５　Ｉｍｐｒｅｓｓ　Ｃｏｒｐｏｒａｔｉｏｎ、平成２４年４月１１日検索、インターネット＜ＵＲＬ：http://k-tai.impress.co.jp/cda/article/showcase_top/14517.html、以下、「電子的技術情報２」という。）には、以下の記載がある。
　携帯電話の表示画面が１３行２〜３列に表示されており、当該表示の９行目左端に表示された携帯電話の表示画面（以下、「表示画面Ｂ」という。）に関し、「ライブラリ。サムネイルの表示は速い」と説明文が記載され、表示画面には、３行３列に８個の画像が表示されている。
　
３．対比
　本願発明と引用発明を対比すると、
　引用発明の「情報処理装置」は、本願発明の「携帯通信端末」と「電子装置」である点で共通している。
　引用発明の「ＣＰＵ」は、本願発明の「制御手段」に相当する。
　引用発明の、ＣＲＴ、ＬＣＤ等の「表示部」は、本願発明の「表示手段」に相当する。
　引用発明の、キーボード、マウス等の「入力部」は、本願発明の「入力手段」に相当する。
　引用発明の「ファイル名」が、ファイルの各々を識別するものであることは明らかであるから、引用発明の「ファイル名」は、本願発明の、複数のファイルの各々を識別する「識別情報」に相当する。
　引用発明のファイル名がファイルに付されていることは当然のことであるから、引用発明のファイルデータメモリはファイルとともに、識別情報（ファイル名）を記憶するためのメモリであるということができる。したがって、引用発明の「ファイルデータメモリ」及び「イメージアイコンメモリ」は、本願発明の識別情報とファイルを記憶するための「記憶手段」に相当する。
　引用発明において、ファイル読出ボタンを操作するとファイルが一覧表示されるから、引用発明の「ファイル読出ボタンを操作」することは、本願発明の「画像の一覧を表示する指示の入力」に相当する。
　引用発明の電子装置において、３行３列にイメージデータの内容を示すアイコンを表示し、各アイコンの左側にファイル名を表示してファイルの一覧が表示されており、引用発明も本願発明と同様に、表示領域がアイコンとファイル名を表示する複数のサブ領域に分割されて、アイコンとファイル名が表示されているから、引用発明の電子装置は、本願発明と同様に、「表示領域の分割により形成される複数のサブ領域に表示する制御手段」を備え、「サブ領域は、画像を表示するための画像表示領域と、ファイルの識別情報を表示するための識別情報表示領域とを含」んでいるということができる。
　
　したがって、両者は
「電子装置であって、
　画像を表示領域に表示するための表示手段と、
　前記電子装置に対する入力を受け付ける入力手段と、
　複数のファイルの各々を識別する各識別情報と、各前記ファイルの各々に固有な画像データが対応付けられた少なくとも１つ以上の第１のファイルとを記憶するための記憶手段と、
　各前記ファイルに対応する画像の一覧を表示する指示の入力に基づいて、各前記ファイルの各々に基づく画像を、前記表示領域の分割により形成される複数のサブ領域に表示する制御手段とを備え、
　各前記サブ領域は、画像を表示するための画像表示領域と、ファイルの識別情報を表示するための識別情報表示領域とを含み、
　前記制御手段は、
　前記固有な画像データに基づく画像を表示するための第１の表示データを生成するための第１の生成手段とを含み、
　前記表示手段は、
　前記第１の表示データに基づいて、前記固有な画像データに基づく画像を、１つのサブ領域に表示する、
電子装置。」の点で一致し、以下の点で相違する。
　
相違点１
　本願発明の電子装置は、携帯通信端末であるのに対して、引用発明の電子装置は、情報処理装置であって、携帯通信端末ではない点。
　
相違点２
　本願発明の記憶手段は、識別情報と、第１のファイルと、各前記ファイルの各々の属性に対応付けられた属性別画像データが対応付けられた少なくとも１つ以上の第２のファイルとを記憶しているのに対し、引用発明の記憶手段は、識別情報と、第１のファイルを記憶しているが、第２のファイルを記憶することについて記載されておらず、また、本願発明の制御手段は、各前記ファイルの各々について、前記識別情報に基づいて、当該ファイルが前記固有な画像データに対応付けられているか否かを判断するための判断手段を含んでいるのに対し、引用発明の制御手段は、当該判断手段を含んでいない点。
　
相違点３
　本願発明の第１の生成手段は、当該ファイルが前記固有な画像データに対応付けられているとの判断に基づいて、前記固有な画像データに基づく画像を表示するための第１の表示データを生成しているのに対し、引用発明の第１の生成手段は、固有な画像データに基づく画像を表示するための第１の表示データを生成しているが、当該ファイルが前記固有な画像データに対応付けられているとの判断に基づいて、第１の表示データを生成するものではない点。
　
相違点４
　本願発明の表示手段は、前記第１の表示データに基づいて、当該識別情報を表示することなく、前記固有な画像データに基づく画像を、１つのサブ領域の全体に表示するのに対し、引用発明の表示手段は、前記第１の表示データに基づいて、前記固有な画像データに基づく画像を、１つのサブ領域に表示するが、画像は識別情報とともに表示されており、したがって、画像は、１つのサブ領域の全体に表示されるものではない点。
　
相違点５
　本願発明の制御手段は、当該ファイルが前記固有な画像データに対応付けられていないとの判断に基づいて、前記属性別画像データと前記識別情報とを用いて、第２の表示データを生成するための第２の生成手段を含んでおり、本願発明の表示手段は、前記第２の表示データに基づいて、前記識別情報を前記識別情報表示領域に表示し、かつ、前記第２のファイルの属性に対応付けられた画像を、前記画像表示領域に表示するのに対し、引用発明の制御手段は、第２の生成手段を含んでおらず、引用発明の表示手段は、第２の表示データに基づく表示について記載されていない点。
　
４．当審の判断
　はじめに、引用刊行物２について検討すると、引用刊行物２には、Ｗｉｎｄｏｗｓ２０００のエクスプローラについて記載されているところ、Ｗｉｎｄｗｓ２０００がパソコン等の情報処理装置で動作するＯＳであることは明らかである。また、引用刊行物２の画像が表示される３行３列の各枠の下部に記載された、P1010004〜P1010012 の各記号は、本願発明の、複数のファイルの各々を識別する「識別情報」に相当する。
　引用刊行物２の画像ファイル、ＨＴＭＬファイルなどの「縮小版」は、本願発明のファイル固有の「画像データ」に相当する。また、文書ファイルや実行ファイルなどイメージ・データ以外について，イメージの代わりに表示されるアイコンは、ファイルの種類（属性）に対応したアイコンであることは明らかであるから、当該アイコンは、本願発明の、ファイルの各々の属性に対応付けられた「属性別画像データ」に相当する。そして、縮小版、アイコンを表示するために、本願発明の「第１の生成手段」、「第２の生成手段」に相当する手段を有していることは当然である。また、引用刊行物２の「画像ファイル、ＨＴＭＬファイルなどのファイル」、及び「文書ファイルや実行ファイルなどイメージ・データ以外（のファイル）」は、それぞれ、本願発明の「第１のファイル」、「第２のファイル」に相当する。また、引用刊行物２が、画像ファイル、ＨＴＭＬファイルなどのファイル及び文書ファイルや実行ファイルなどイメージ・データ以外のファイルを記憶する記憶手段を有していることは当然のことである。
　また、引用刊行物２において、第１のファイル（画像ファイルやＨＴＭＬファイルなど）を直接エクスプローラ上に縮小表示し、第２のファイル（文書ファイルや実行ファイルなどイメージ・データ以外のファイル）については，イメージの代わりにアイコンが表示される仕組みになっており、その際、第１のファイルであるのか第２のファイルであるのかの判断は、ファイル名（本願発明の「識別情報」に相当する。）により判断されていることは明らかであって、引用刊行物２の情報処理装置は、本願発明の「判断手段」に相当する手段を有しているということができる。
　そうすると、引用刊行物２には、以下の技術が記載されているということができる。
「情報処理装置において、記憶手段に記憶された第１のファイル及び第２のファイルの一覧を表示する場合に、ファイルの各々について識別情報に基づいて、当該ファイルが固有な画像データに対応付けられているか否かを判断するための判断手段を有し、当該ファイルが固有な画像データに対応付けられているとの判断に基づいて、固有な画像データと前記識別情報とに基づいて、画像を表示するための第１の表示データを生成するための第１の生成手段と、当該ファイルが前記固有な画像データに対応付けられていないとの判断に基づいて、前記属性別画像データと前記識別情報とを用いて、第２の表示データを生成するための第２の生成手段とを含み、第１の表示データ、第２の表示データに基づく画像を表示する、情報処理装置。」
　
　次に、相違点について検討する。
相違点１について
　携帯電子装置において、ファイルに対応する画像の一覧を表示することは特開２０００−６９４１０号公報（以下、「周知刊行物１」という。【００２３】、図３ｂ、デジタルカメラにおいてサムネイル画像を３行３列に表示することが記載されている。）、特開２００２−２９７２８０号公報（以下、「周知刊行物２」という。段落【０００２】、【００１０】〜【００１１】、【００１６】、図３、携帯電話機において３行３列に画像を一覧表示することが記載されている。）、電子的技術情報１（携帯電話機において撮影画像を３行３列にサムネイル表示することが記載されている。）、電子的技術情報２（携帯電話機において画像を３行３列にサムネイル表示することが記載されている。）に記載されているように周知であるから、引用発明の電子装置（情報処理装置）を周知の携帯通信端末装置とすることは、当業者が容易になし得ることである。
　
相違点２〜相違点４について
　引用刊行物２に記載された情報処理装置におけるファイル一覧表示方法は、情報処理装置の種類を問わず適用可能なことは明らかであるから、引用発明の情報処理装置を携帯通信端末装置としたものにおいて、引用刊行物２の技術を適用して、引用発明の記憶手段に、第１のファイルに加えて、各前記ファイルの各々の属性に対応付けられた属性別画像データが対応付けられた少なくとも１つ以上の第２のファイルとを記憶し、引用発明の制御手段に、各ファイルの各々について、識別情報に基づいて、当該ファイルが前記固有な画像データに対応付けられているか否かを判断するための判断手段を含ませ、引用発明の第１の生成手段を、ファイルが前記固有な画像データに対応付けられているとの判断に基づいて動作するようにすること、そして、その際に、画像を対応付けられたファイルを一覧表示する場合に、各ファイル毎にファイル名の表示を付加することなく、分割された表示領域のそれぞれの領域全体に画像を表示することは、上記周知刊行物１（図３ｂ）、周知刊行物２（図３）、電子的技術情報１（表示画面Ａ）、電子的技術情報２（表示画面Ｂ）に記載されているように周知であるから、引用発明の表示手段を、識別情報を表示することなく、前記固有な画像データに基づく画像を、１つのサブ領域の全体に表示するように構成することにより、相違点２〜相違点４の構成とすることは、当業者が容易になし得ることである。
　
相違点５について
　引用刊行物２には、ファイルが固有な画像データに対応付けられていないと  判断した場合に、属性別画像データと識別情報とを用いて、第２の表示データを生成するための第２の生成手段を有し、前記第２の表示データに基づいて、前記識別情報を前記識別情報表示領域に表示し、かつ、前記第２のファイルの属性に対応付けられた画像を、前記画像表示領域に表示することが記載されているから、引用発明に引用刊行物２の技術を適用することにより、引用発明の制御手段を、ファイルが前記固有な画像データに対応付けられていないとの判断に基づいて、属性別画像データと前記識別情報とを用いて、第２の表示データを生成するための第２の生成手段を含む構成とし、引用発明の表示手段を、第２の表示データに基づいて、前記情報を識別情報表示領域に表示し、かつ、第２のファイルの属性に対応付けられた画像を、画像表示領域に表示するように構成することは当業者が容易になし得ることである。
　
　そして、本願発明のように構成したことによる効果も引用発明、引用刊行物２に記載された技術及び周知技術から予想できる程度のものであって、格別のものではない。
　
　したがって、本願発明は、引用発明、引用刊行物２に記載された技術及び周知技術に基づいて当業者が容易に発明をすることができたものである。
　
５．むすび
　以上のとおり、本願発明（請求項１に係る発明）は、引用発明、引用刊行物２に記載された技術及び周知技術に基づいて当業者が容易に発明をすることができたものであるので、特許法第２９条第２項の規定により特許を受けることができない。
　したがって、本願は、その余の請求項について論及するまでもなく、拒絶すべきものである。
　
　よって、結論のとおり審決する。